(57)【要約】【課題】基本的な機能としてはボディシェイパーであるが、従来のボディスーツのような窮屈で、圧迫感を感じることもなく、かつ従来のボディシェイパーのように裾の位置がずり上がることもない新形式のシェイパースーツを提供することを課題とする。【解決手段】シェイパースーツＡは、肩紐部１を有するブラジャー部２と、ウエストニッパー部３と、前側の裾４ａは腹部下端まで延び、後側の裾４ｂはヒップ部をほぼカバーする位置まで延びるショーツ部４とからなり、後側の裾から股下を通り前側の裾に延びる帯布片５を備え、帯布片５は一端をショーツ部４の後側の裾４ｂに一体に設け、他端は前側の裾４ａに着脱自在に装着できるように形成している。【選択図】図１
2008214809.tif 000002
【特許請求の範囲】
【請求項１】
肩紐部１を有するブラジャー部２と、ウエストニッパー部３と、前側の裾４ａは腹部下端まで延び、後側の裾４ｂはヒップ部をほぼカバーする位置まで延びるショーツ部４とからなり、後側の裾から股下を通り前側の裾に延びる帯布片５を備え、帯布片５は一端をショーツ部４の後側の裾４ｂに一体に設け、他端は前側の裾４ａに着脱自在に装着できるように形成してなるシェイパースーツ。
【請求項２】
前記前側の裾４ａは上に凸の曲線状とし、後側の裾４ｂは下に凸の曲線状に形成したことを特徴とする請求項１に記載のシェイパースーツ。
【請求項３】
前記ショーツ部４の後方の所定位置に、ハート形状の生地からなるハートバック９を設け、このハートバック９の生地の伸縮特性を、ハートバック９を除くショーツ部４の生地の伸縮特性と異なる方向に設定したことを特徴とする請求項１又は２に記載のシェイパースーツ。
【発明の詳細な説明】
【技術分野】
【０００１】
この発明は、ボディスーツのような体型補正機能を有し、かつボディシェイパーに近い女性用下着スーツとして使用されるシェイパースーツに関する。
【背景技術】
【０００２】
従来、身体のプロポーションを補整する女性用下着として一般にボディスーツが使用され、また着用時の圧迫感の少ない女性用下着としてボディシェイパーが使用されている。ボディスーツの一例として、特許文献１の「ボディースーツ」が公知である。この「ボディースーツ」は、バスト部と、肩紐部、ウエスト部、ガードル部からなるボディースーツであって、少なくともウエスト部及びガードル部の人体接触側の一部に断面波型の生地が設けられていることを特徴とするものである。この「ボディースーツ」によれば、従来のボディスーツのように、バストを美しく引き寄せ、持ち上げて体型の補正ができ、かつ着用するだけで皮膚に摩擦刺激を与え、皮膚血流量を増加させることができるとしている。
【０００３】
また、ボディシェイパーの一例として、特許文献２の「ボディシェイパー」が公知である。このボディシェイパーは、ブラジャー部、ウエストニッパー部、着用者の後ろ側腰から股下まで及び前側の腰から下腹部までカバーするショーツ形部が一体化されてなるボディシェイパー本体と肩紐からなり、ガードルを着用時に併用することを条件として、シェイパーの前方裾をＷ字状に、後方裾をＶ字状に形成し、それぞれの下側頂点を左右２本の伸縮テープで連結し、必要時にこの２本の伸縮テープを膝付近まで引き下げ可能としたものである。
【特許文献１】特開２００３−８２５０３号公報
【特許文献２】特開２００１−２０１０４号公報
【発明の開示】
【発明が解決しようとする課題】
【０００４】
上記特許文献１の「ボディースーツ」は、バストを美しく引き寄せ、持ち上げて体型の補正をし、かつ着用するだけで皮膚に摩擦刺激を与え、皮膚血流量を増加させて健康増進を図ることを目的としたものであり、ウエスト部、ガードル部の人体接触側の一部に断面波形の生地を設けたことにより所望の効果があるとしている。しかし、この「ボディースーツ」は、一般的なボディスーツの範囲内のものであり、ボディスーツである限り一般的に標準サイズの体型を基本としてバスト部、ウエスト部、ガードル部を有する形状とされるため、全てのサイズの各構成部が着用者に適合することは少なく、無理に着用すると窮屈で、圧迫感を感じることになる。
【０００５】
また、断面波形の生地を設けることにより、着用するだけで皮膚に摩擦刺激を与え、皮膚血流量を増加させて健康増進を図ることは論理的には出来るとしても、その医学的効果について明確ではなく、実際に使用した場合窮屈で、圧迫感を感じることは、ガードル部が股下からヒップ部を締め付けるため依然として残る。従って、ボディスーツによる、窮屈で、圧迫感が生じるスーツの使用を必要としないが、体型のプロポーションを美しく、補正をある程度必要と考える場合は、一般にボディシェイパーが使用される。
【０００６】
しかし、一般的なボディシェイパーは、ガードルを使用せずに単独で使用すると、裾がしっかり固定されていないため、着用している間に次第に裾の位置がずり上がってしまい、着心地が悪くなるという難点がある。このため、着用中に他者に気付かれないように裾を押し下げなければならないという煩わしさを伴う。このような問題を解決する１つの試みとして、特許文献２の「ボディシェイパー」は、左右２本の伸縮テープで連結し、必要時にこの２本の伸縮テープを膝付近まで引き下げて使用する構成を採用しているが、通常のボディシェイパーに対して極めて特殊な形状であり、２本の伸縮テープを膝付近まで引き下げる操作には違和感がある。
【０００７】
上記のように、女性用下着として使用される一般的なボディスーツ、ボディシェイパーは、それぞれヒップからウエスト、バストにかけての身体のプロポーションの補整、バスト形状の補整などの要求に対応して特許文献１や２のボディスーツ、ボディシェイパーが提案されているが、いずれのものも圧迫感を感じないように形成し、かつ開放性があり、着用時に裾がずり上がるなどの不都合を解消したものはなく、改良すべき点が残されている。
【０００８】
この発明は、上記の問題に留意して、基本的な機能としてはボディシェイパーであるが、従来のボディスーツのような窮屈で、圧迫感を感じることもなく、かつ従来のボディシェイパーのように裾の位置がずり上がることもない新形式のシェイパースーツを提供することを課題とするものである。
【課題を解決するための手段】
【０００９】
この発明は、上記の問題を解決する手段として、肩紐部を有するブラジャー部と、ウエストニッパー部と、前側の裾は腹部下端まで延び、後側の裾はヒップ部をほぼカバーする位置まで延びるショーツ部とからなり、後側の裾から股下を通り前側の裾に延びる帯布片を備え、帯布片は一端をショーツ部の後側の裾に一体に設け、他端は前側の裾に着脱自在に装着できるように形成してなるシェイパースーツの構成としたのである。
【００１０】
上記の構成としたシェイパースーツは、一般にボディスーツ、ボディシェイパーと呼ばれる女性用下着のいずれでもなく、新形式の女性用下着スーツとして使用される。着用する場合、帯布片の先端を前側の裾から外した状態で装着し、その後帯布片の先端を後ろから前へと引き出し、先端をショーツ部の前側の裾の中央付近に差込み、その中央位置と帯布片の先端に設けられた着脱部材を介して先端をショーツ部の前側の裾に固定する。この作業は、ショーツ部の前側の裾の位置が高い位置にあるため、手を差し込みやすく操作し易い位置に設けられており、このためその着脱が容易である。
【００１１】
また、このシェイパースーツは、その下端がショーツ部で開放状に形成されており、着用時には帯布片でショーツ部の前側の裾と後ろ側の裾を結んで使用するため、着用中に前後の裾が摺り上がって着心地が悪くなるという不都合が生じない。さらに、ショーツ部の前、後側の裾が開放状に形成されているため、従来のボディスーツのように窮屈で、圧迫感がなく、ボディシェイパーと同様な開放的な状態で使用できる。しかも、反対に着用中に急に帯布片を外したいという不要の状態が生じたときは、帯布片の着脱部材の先端を、高い位置に置かれたショーツ部の前側の裾の着脱部材から手で容易に外すことができる。
【００１２】
この場合、上記シェイパースーツのショーツ部の形状として、前側の裾は上に凸の曲線状とし、後側の裾は下に凸の曲線状に形成するとよい。また、上記シェイパースーツは、ショーツ部の前、後側の裾が開放状に形成されているが、ブラジャー部と、ウエストニッパー部、ショーツ部を使用する布地として２軸方向に伸縮性のある特性のある布を使用すれば、必要に応じてその伸び方向をいずれかの方向に強くして、窮屈ではないが、必要な引き締め力を有し、十分な身体に対するプロポーションの保持、体型の整形、乳房の持ち上げによりバスト形状の整形等の機能を確保しつつ、開放的な状態でボディシェイパー以上の感覚のシェイパースーツが得られる。
【００１３】
なお、上記２軸方向に伸縮特性の異なる布を使用したシェイパースーツに対して、そのショーツ部の後方の所定位置に、ハート形状の生地からなるハートバックを設け、このハートバックの生地の伸縮特性を、ハートバックを除くショーツ部の生地の伸縮特性と異なる方向に設定したものとすることが出来る。この特定の位置、範囲にハートバックを設けることにより、さらに高機能なシェイパースーツを得ることが出来る。
【発明の効果】
【００１４】
この発明のシェイパースーツは、肩紐部を有するブラジャー部、ウエストニッパー部、ショーツ部とからなり、後側の裾から股下を通り前側の裾に延びる帯布片を備え、帯布片は一端をショーツ部の後側の裾に一体に設け、他端は前側の裾に着脱自在に装着できるように形成したから、基本的な機能としてはボディシェイパーであるが、従来のボディスーツのような窮屈で、圧迫感を感じることもなく、かつ従来のボディシェイパーのように裾の位置がずり上がることもないシェイパースーツが得られるという利点がある。
【発明を実施するための最良の形態】
【００１５】
以下、この発明の実施形態について図面を参照して説明する。図１は実施形態のシェイパースーツＡの正面図、図２は背面図である。図示のように、このシェイパースーツＡは、肩紐部１を有するブラジャー部２と、ウエストニッパー部３と、前側の裾４ａは腹部下端まで延び、後側の裾４ｂはヒップをほぼカバーする位置まで延びるショーツ部４とを一体化してなる。そして、上記ショーツ部４には、その後側の裾４ｂから股下を通り前側の裾４ａに延びる帯布片５が設けられている。
【００１６】
ブラジャー部２には、通常のブラジャーと同様に左右一対のカップ部２ａ、２ｂが設けられ、乳房を理想的な形状に整え、バスト全体を美しく整形するブラジャーとしての基本的な機能を備えている。また、シェイパースーツ本体のほぼ中央位置のウエストニッパー部３は、ウエスト部及び腹部を軽く引き締める機能を有する。ブラジャー部２とウエストニッパー部３に用いられる生地の繊維はシェイパースーツが全体に体にフィットするのに十分な伸縮性を有する、特に縦横２軸方向に伸縮するツーウエイ伸縮性の、レース生地（メッシュ状）の布を用いるのが好ましい。ただし、２軸方向の伸び特性は、後述するハートバック９の部分を除いて、縦横方向で横方向が大きく、縦方向が小さく、縦横でその特性が異なる。
【００１７】
ショーツ部４の下端の前側の裾４ａは、図示のように、上方に大きな凸の曲線状に湾曲して形成され、後側の裾４ｂは反対に下方に緩やかな凸の曲線状に形成されている。そして、後側の裾４ｂの下端の中央位置付近には、帯布片５が縫合して一体に取り付けられている。この帯布片５は、ウエストニッパー部３、ショーツ部４などと同じ繊維の生地の編織布が用いられ、一般にクロッチ部と呼ばれる部位に相当する帯布の一端を幅広状に、かつ少し通常のクロッチ片より長く延長して後側の裾４ｂの下端に縫合し、後側の裾４ｂと一体化したものである。
【００１８】
上記帯布片５は、上述したように、後側の裾４ｂに縫合されている幅広部から大きく幅が縮小し、所定幅まで縮小した状態から少しずつ幅が小さくなる形状で股下を通り前方へ延び、その他端がショーツ部４の上方に凸の前側の裾４ａの中央位置まで届く長さに形成されている。これは、通常のボディシェイパーでは下端が裏表とも水平状に形成されているのと異なっている。そして、この帯布片５の他端はその端末に設けられた着脱部材６の上スナップ（凸）を介して前側の裾４ａの裏面側に設けた着脱部材６の下スナップ（凹）に対して着脱自在であり、かつ端末位置が前側の裾４ａまで届く長さである。
【００１９】
また、この帯布片５は、上記股下を通る長さ部分が着用時に大腿部が極端に締め付けられ、大腿部の動きに支障を感じず、圧迫感を生じない程度の適宜幅とし、表地にレース状（メッシュ状）の編織布、裏布には伸縮性と吸収性のある編織布が通常のクロッチ片と同様に、二重に重ねられ、その両端と側辺が縫合されている。従って、この帯布片５は通常のクロッチ片より長く、略Ｔ字帯状に形成されている。なお、着脱部材６は図示のスナップ式以外にも、面ファスナ、フック＆アイ式のもの等を用いてもよい。
【００２０】
図示のシェイパースーツＡの前方には、その中央にブラジャー部２からショーツ部４の下端までに亘って前布３ａが二重に重ねられている。この前布３ａには、裏面に裏当て布が点線３ｔより下に向かって縫い合わせられている。二重のレース生地部分には縦横のメッシュ表示、1枚のレース生地のみの部分には傾斜状のメッシュ表示を付している。Ｌ１、Ｌ１は縫合線であり、この縫合線はデザイン上の曲線を強調すると共に、フラットな状態で縫い合わせた状態となる縫合線であり、その縫い合わせによる重なり部が裏面に突き出ない処理をしている。また、後述する縫合線Ｌ２〜Ｌ７も基本的には全て同じ縫合線である。
【００２１】
なお、図示省略しているが、レース生地には全般に亘って花柄模様の刺繍のデザインが施されている。また、ショーツ部４の下端には、ショーツ部４とは別のデザインのレース生地４ａの布が重ねて縫い付けられ、ショーツ部４の裾の飾り付けをさらに施して優雅な雰囲気を醸し出している。さらに、ブラジャー部２の上方には、後述する背中部７の上端７Ｕの湾曲部が重なっている状態を示している。図３の（a）、（b）図にショーツ部４の下部の部分拡大図（正面）、（背面）を示し、以下の説明ではこれらの図を参照して説明する。
【００２２】
図２にシェイパースーツＡの背面を示す。図示のように、ブラジャー部２の背面に対応する位置に背中部７が設けられ、肩紐部１により繋がっている。この背中部７には、生地の裏面にＸ字状に交叉するテープ状の生地の肩布８が縫合線Ｌ３で縫合されている（生地は一重）。背中部７、ウエストニッパー部３、ショーツ部４の背面中央は、縫合線Ｌ２で直線状に縫合されている。また、ショーツ部４の下端の裾４ａ、４ｂにもレース生地が全周に亘って縫合されている。
【００２３】
ハートバック９は、図示のように、ショーツ部４の背面中央にハート型に形成されており、その外周を縫合線Ｌ４でショーツ部４に縫合されている（生地は一重）。その生地はショーツ部４と同じレース地であり、２軸方向に伸縮性を有するが、特にその２軸方向の伸び特性は、前述したウエストニッパー部３やショーツ部４と異なり、縦横方向で横方向に小さいが、縦方向に大きく、縦横でその特性が異なる。これは、生地の伸びを縦方向に大きくすることにより、着座時の対応する臀部への密着感、フィット感を向上させるためである。
【００２４】
従って、ショーツ部４は、ハートバック９を含めて縦横に、かつ位置によって異なる伸縮性を有する生地を混合して有する。また、ハートバック９をハート型にしたのは、一般にヒップ部の形状が桃のような形状であるため、ハート型に形成するとその形状に沿い易く、かつその形状の範囲内で生地の伸び方向を縦方向に大きく、横方向に小さく設定すれば、圧迫感、窮屈感を感じないという機能を得ることが出来、このような形状、機能とすることによりヒップ部への密着感、フィット感が向上するからである。なお、縫合線Ｌ５、Ｌ６はショーツ部４の下端の裾４ａ、４ｂの下部、上部の縫合線、Ｌ７は帯布片５の一端を縫合する縫合線である。
【００２５】
上記の構成としたこの実施形態のシェイパースーツＡは、所謂ボディスーツでもなく、ボディシェイパーでもない、シェイパースーツと呼ぶ新形式の女性用下着スーツであって、ヒップから上の上半身のプロポーションを整え、外観上美しい体型に補整するために使用される。一般的にボディシェイパーと呼ばれる女性用下着スーツのボディシェイパーと同様な状態で使用されるが、ボディシェイパーでは着用中にそのシェイパー部が少しずつ摺り上がり、着心地が悪くなるということがなく、フィット感が向上する。
【００２６】
この実施形態のシェイパースーツＡは、ショーツ部４の下端の裾部４ａ、４ｂに帯布片５を備えているため、この帯布片５を使用することにより着用時に前側の裾４ａ、後側の裾４ｂがずり上がることが防止され、このため着心地が悪くなることが防止される。帯布片５を使用する場合、シェイパースーツＡを身体に装着した後、帯布片５を後ろから股下を通して前方へ出し、その先端の着脱部材６をショーツ部４の前側の裾４ａの裏面に取り付けられた着脱部材６に係合させて固定する。
【００２７】
このとき、この着脱部材６の取り付け位置が上方に凸の前側の裾４ａの中央の高い位置にあるため、通常のボディスーツのように、着脱部材が股下位置にあると着脱が困難という不都合がない。反対に、急いで帯布片５を外したい不要の場合が生じたとき、着脱部材６が前側の裾４ａの高い位置にあるため、着脱部材６の位置まで手を入れやすく、簡単に手早くその取り外し作業が可能である。また、帯布片５を前側の裾４ａに装着した際に、前側の裾４ａは基本的に開放状態に形成されているため、帯布片５とショーツ部４の裾４ａの間を足の大腿部が通る際に、ボディスーツのような大腿部の圧迫感、窮屈感がなく、開放感を保持した状態で使用できる。
【００２８】
なお、シェイパースーツＡを着用し、着座した時に、上述したように、ショーツ部４の背面にはハートバック９が形成されているため、ヒップ部を横方向には引き締めたまま、縦方向には延びて着座時のスーツの伸びを可能とし、ヒップ部を引き締め、かつ圧迫感を感じないという利点がある。但し、このハートバック９は、必ずしもシェイパースーツＡに必須ではなく、ハートバック９を備えなくてもよい。また、このハートバック９は、一般的にボディスーツやボディシェイパーと呼ばれる女性用下着にも適用が可能である。
【００２９】
なお、上記シェイパースーツＡは、別途にショーツを下に履き、その上から着用するのが一般的であるが、さらに大腿部を引き締めるために、ガードルを装着してもよい。また、上記実施形態のシェイパースーツＡは、この発明の趣旨の範囲内で構成されるシェイパースーツであれば、種々の改変が可能であり、その詳細を図示、説明していなくともこの発明に含まれる。
【産業上の利用可能性】
【００３０】
この発明のシェイパースーツは、肩紐部を有するブラジャー部、ウエストニッパー部、ショーツ部とからなり、後側の裾から股下を通り前側の裾に延びる帯布片を備え、帯布片は一端をショーツ部の後側の裾に一体に設け、他端は前側の裾に着脱自在に装着できるように形成したから、ボディスーツ、ボディシェイパーのいずれでもなく、身体の補正機能を有し、かつ窮屈で、圧迫感のない女性用下着の一種として広く利用できる。
【図面の簡単な説明】
【００３１】
【図１】第１実施形態のシェイパースーツの正面図
【図２】同上のシェイパースーツの背面図
【図３】同上のシェイパースーツのショーツ部の（ａ）部分拡大図（正面）、（ｂ）部分拡大図（背面）
【符号の説明】
【００３２】
１        肩紐部
２        ブラジャー部
３        ウエストニッパー部
４        ショーツ部
４ａ      前側の裾
４ｂ      後側の裾
５        帯布片
６        着脱部材
７        背中部
８        肩布
９        ハートバック
Ｌ１〜Ｌ７    縫合線
【図１】
2008214809.tif 000003
【図２】
2008214809.tif 000004
【図３】
2008214809.tif 000005